(57)【特許請求の範囲】
【請求項１】
中央コンピュータシステムにおいて、前記中央コンピュータシステムから遠く離れた第１のユーザシステムから、１つまたは複数の消費品目についての識別および量データを受信することと、前記第１のユーザシステムは、前記識別および量データを判断するための１つまたは複数の重量感知デバイスを備える、
前記受信された識別および量データに基づいて前記１つまたは複数の消費品目についての消費メトリックを判断することと、
前記消費メトリックに基づいて消費関係情報を生成することと、前記消費関係情報は、１つまたは複数の消費品目が前記消費メトリックに基づいてあらかじめ設定された時間期間内に枯渇すると予測されることを示す、前記第１のユーザシステムへの補充通知を含み、前記あらかじめ設定された時間期間は、ユーザによって各消費品目なしにいられる許容度に基づいて設定され、
前記中央コンピュータシステムから、前記第１のユーザシステムに前記消費関係情報を送信することと
を備える方法。
【請求項２】
前記中央コンピュータシステムにおいて、複数の異なるユーザシステムからの追加の識別および量データを受信することと、前記複数の異なるユーザシステムの各々は、前記追加の識別および量データを判断するための１つまたは複数の追加の重量感知デバイスを備える、
前記第１のユーザシステムからの前記受信された識別および量データならびに前記複数の異なるユーザシステムからの前記追加の識別および量データに基づいて前記１つまたは複数の消費品目についての集積消費メトリックを判断することと
をさらに備える、請求項１に記載の方法。
【請求項３】
消費関係情報を生成することが、前記第１のユーザシステムおよび前記複数の異なるユーザシステムのための前記１つまたは複数の消費品目の補充に対する十分な供給を与える際に使用するサプライチェーン流通情報を生成することを備える、請求項２に記載の方法。
【請求項４】
前記第１のユーザシステムおよび前記複数の異なるユーザシステムが、定義された地理的エリアと、定義された購買層と、定義された利益団体と、定義されたソーシャルネットワークとのうちの１つまたは複数内のユーザシステムを備える、請求項２に記載の方法。
【請求項５】
前記消費関係情報が、前記１つまたは複数の消費品目についての前記消費メトリックに基づく１つまたは複数のレシピを備える、請求項１に記載の方法。
【請求項６】
前記消費関係情報が、前記第１のユーザシステムの第１のユーザのための健康アドバイスを備える、請求項１に記載の方法。
【請求項７】
前記健康アドバイスは、１つまたは複数の消費品目の消費がターゲットしきい値から所定の差を超えることを示す、前記第１のユーザへの警告を備える、請求項６に記載の方法。
【請求項８】
消費関係情報を生成することが、前記第１のユーザシステムに関連する第１のユーザによって消費される１つまたは複数の消費品目についての、前記第１のユーザのためのクーポンを生成することを備える、請求項１に記載の方法。
【請求項９】
消費関係情報を生成することが、前記第１のユーザシステムに関連する第１のユーザによって消費される１つまたは複数の消費品目についての前記消費メトリックに基づいて、前記第１のユーザに方向づけられた広告を提供することを備える、請求項１に記載の方法。
【請求項１０】
識別および量データを前記受信することが、識別および量データを周期的に受信することを備え、
前記消費メトリックを前記判断することが、経時的な量データの差に基づく、請求項１に記載の方法。
【請求項１１】
識別および量データを前記受信することが、第１の消費品目についての識別および量データを周期的に受信することを備え、
前記消費メトリックを前記判断することが、前記第１の消費品目の枯渇率に基づく、請求項１に記載の方法。
【請求項１２】
前記消費メトリックを判断することが、前記第１の消費品目の複数の補充にわたる前記第１の消費品目の平均枯渇率に基づく、請求項１１に記載の方法。
【請求項１３】
前記消費メトリックに基づいて前記消費関係情報を生成することは、
１つまたは複数の消費品目が枯渇したかまたは枯渇に近づいていることを示す、前記第１のユーザシステムへの補充通知を生成すること
を備える、請求項１に記載の方法。
【請求項１４】
前記補充通知を生成することは、
前記１つまたは複数の消費品目についての量データが前記１つまたは複数の消費品目に関連する量しきい値を下回ると判断することと、
前記補充通知を生成することと
を備える、請求項１３に記載の方法。
【請求項１５】
前記消費メトリックが、消費品目についての消費率を備え、
前記補充通知を生成することは、
前記消費率に基づいて、前記消費品目が、あらかじめ設定された時間期間内に枯渇することが予想されると判断することと、
前記補充通知を生成することと
を備える、請求項１３に記載の方法。
【請求項１６】
前記消費品目についての前記あらかじめ設定された時間期間が、前記第１のユーザシステムによって選択可能である、請求項１５に記載の方法。
【請求項１７】
第１のユーザシステムから１つまたは複数の消費品目についての識別および量データを受信し、前記受信された識別および量データに基づいて前記１つまたは複数の消費品目についての消費メトリックを判断し、前記第１のユーザシステムは、前記識別および量データを判断するための１つまたは複数の重量感知表面を備える、コレクタモジュールと、
前記消費メトリックに基づいて消費関係情報を生成する消費関係情報生成器モジュールと、前記消費関係情報は、１つまたは複数の消費品目が前記消費メトリックに基づいてあらかじめ設定された時間期間内に枯渇すると予測されることを示す、前記第１のユーザシステムへの補充通知を含み、前記あらかじめ設定された時間期間は、ユーザによって各消費品目なしにいられる許容度に基づいて設定され、
前記第１のユーザシステムに前記消費関係情報を送信するネットワークインターフェースモジュールと
を備える、装置。
【請求項１８】
前記コレクタモジュールが、前記第１のユーザシステムからの前記受信された識別および量データならびに複数の異なるユーザシステムからの追加の識別および量データからのに基づいて前記１つまたは複数の消費品目についての集積消費メトリックを判断する、請求項１７に記載の装置。
【請求項１９】
前記消費関係情報生成器モジュールが、前記集積消費メトリックに基づいて前記第１のユーザシステムおよび前記複数の異なるユーザシステムのための前記１つまたは複数の消費品目の十分な供給を与える際に使用するサプライチェーン流通情報を提供する、請求項１８に記載の装置。
【請求項２０】
前記第１のユーザシステムおよび前記複数の異なるユーザシステムが、定義された地理的エリアと、定義された購買層と、定義された利益団体と、定義されたソーシャルネットワークとのうちの１つまたは複数内のユーザシステムを備える、請求項１８に記載の装置。
【請求項２１】
前記消費関係情報が、前記１つまたは複数の消費品目についての前記消費メトリックに基づく１つまたは複数のレシピを備える、請求項１７に記載の装置。
【請求項２２】
前記消費関係情報が、前記第１のユーザシステムの第１のユーザのための健康アドバイスを備える、請求項１７に記載の装置。
【請求項２３】
前記健康アドバイスは、１つまたは複数の消費品目の消費がターゲットしきい値から所定の差を超えることを示す警告を備える、請求項２２に記載の装置。
【請求項２４】
前記消費関係情報が、前記第１のユーザシステムに関連する第１のユーザによって消費される１つまたは複数の消費品目についての、前記第１のユーザのためのクーポンを備える、請求項１７に記載の装置。
【請求項２５】
前記消費関係情報が、前記第１のユーザシステムに関連する第１のユーザによって消費される１つまたは複数の消費品目についての前記消費メトリックに基づいて、前記第１のユーザへの方向づけられた広告を備える、請求項１７に記載の装置。
【請求項２６】
前記コレクタモジュールが、前記１つまたは複数の消費品目についての前記識別および量データの定期的更新を受信し、前記１つまたは複数の消費品目の枯渇率に基づいて前記消費メトリックを判断する、請求項１７に記載の装置。
【請求項２７】
前記消費メトリックが、前記１つまたは複数の消費品目の複数の補充にわたる１つまたは複数の第１の消費品目の平均枯渇率に基づいて判断される、請求項２６に記載の装置。
【請求項２８】
前記ネットワークインターフェースモジュールは、１つまたは複数の消費品目が枯渇したかまたは枯渇に近づいていることを示す補充通知を、前記第１のユーザシステムに与える、請求項１７に記載の装置。
【請求項２９】
前記消費メトリックが、消費品目についての消費率を備え、
前記消費関係情報生成器モジュールは、前記消費率に基づいて、前記消費品目があらかじめ設定された時間期間内に枯渇することが予想されると判断し、前記補充通知を生成する、請求項２８に記載の装置。
【請求項３０】
受信するための手段から遠く離れた第１のユーザシステムから、１つまたは複数の消費品目についての識別および量データを受信するための前記手段と、前記第１のユーザシステムは、前記識別および量データを判断するための１つまたは複数の重量感知手段を備える、
前記受信された識別および量データに基づいて前記１つまたは複数の消費品目についての消費メトリックを判断するための手段と、
前記消費メトリックに基づいて消費関係情報を生成するための手段と、前記消費関係情報は、１つまたは複数の消費品目が前記消費メトリックに基づいてあらかじめ設定された時間期間内に枯渇すると予測されることを示す、前記第１のユーザシステムへの補充通知を含み、前記あらかじめ設定された時間期間は、ユーザによって各消費品目なしにいられる許容度に基づいて設定され、
前記第１のユーザシステムに前記消費関係情報を送信するための手段と
を備えるシステム。
【請求項３１】
複数の異なるユーザシステムからの追加の識別および量データを受信するための手段と、前記複数の異なるユーザシステムの各々は、前記追加の識別および量データを判断するための１つまたは複数の追加の重量感知手段を備え、
前記第１のユーザシステムからの前記受信された識別および量データならびに前記複数の異なるユーザシステムからの前記追加の識別および量データに基づいて前記１つまたは複数の消費品目についての集積消費メトリックを判断するための手段と
をさらに備える、請求項３０に記載のシステム。
【請求項３２】
消費関係情報を生成するための前記手段が、
前記第１のユーザシステムおよび前記複数の異なるユーザシステムのための前記１つまたは複数の消費品目の補充に対する十分な供給を与える際に使用するサプライチェーン流通情報を生成するための手段を備える、請求項３１に記載のシステム。
【請求項３３】
前記第１のユーザシステムおよび前記複数の異なるユーザシステムが、定義された地理的エリアと、定義された購買層と、定義された利益団体と、定義されたソーシャルネットワークとのうちの１つまたは複数内のユーザシステムを備える、請求項３１に記載のシステム。
【請求項３４】
前記消費関係情報が、前記１つまたは複数の消費品目についての前記消費メトリックに基づく１つまたは複数のレシピを備える、請求項３０に記載のシステム。
【請求項３５】
前記消費関係情報が、前記第１のユーザシステムの第１のユーザのための健康アドバイスを備える、請求項３０に記載のシステム。
【請求項３６】
前記健康アドバイスは、１つまたは複数の消費品目の消費がターゲットしきい値から所定の差を超えることを示す、前記第１のユーザへの警告を備える、請求項３５に記載のシステム。
【請求項３７】
識別および量データを受信するための前記手段が、識別および量データを周期的に受信するための手段を備え、
前記消費メトリックを判断するための前記手段が、経時的な量データの差に基づいて前記消費メトリックを判断するための手段を備える、請求項３０に記載のシステム。
【請求項３８】
プロセッサによって実行可能なコードを記憶するコンピュータ可読記憶媒体であって、前記コードは、
中央コンピュータシステムにおいて、前記中央コンピュータシステムから遠く離れた第１のユーザシステムから、１つまたは複数の消費品目についての識別および量データを受信するためのコードと、前記第１のユーザシステムは、前記識別および量データを判断するための１つまたは複数の重量感知デバイスを備える、
前記受信された識別および量データに基づいて前記１つまたは複数の消費品目についての消費メトリックを判断するためのコードと、
前記消費メトリックに基づいて消費関係情報を生成するためのコードと、前記消費関係情報は、１つまたは複数の消費品目が前記消費メトリックに基づいてあらかじめ設定された時間期間内に枯渇すると予測されることを示す、前記第１のユーザシステムへの補充通知を含み、前記あらかじめ設定された時間期間は、ユーザによって各消費品目なしにいられる許容度に基づいて設定され、
前記中央コンピュータシステムから、前記第１のユーザシステムに前記消費関係情報を送信するためのコードと
を備えるコンピュータ可読記憶媒体。
【請求項３９】
前記コードは、
前記中央コンピュータシステムにおいて、複数の異なるユーザシステムからの追加の識別および量データを受信するためのコードと、前記複数の異なるユーザシステムの各々は、前記追加の識別および量データを判断するための１つまたは複数の追加の重量感知デバイスを備える、
前記第１のユーザシステムからの前記受信された識別および量データならびに前記複数の異なるユーザシステムからの前記追加の識別および量データに基づいて前記１つまたは複数の消費品目についての集積消費メトリックを判断するためのコードと
をさらに備える、請求項３８に記載のコンピュータ可読記憶媒体。
【請求項４０】
消費関係情報を生成するための前記コードが、前記第１のユーザシステムおよび前記複数の異なるユーザシステムのための前記１つまたは複数の消費品目の補充に対する十分な供給を与える際に使用するサプライチェーン流通情報を生成するためのコードを備える、請求項３９に記載のコンピュータ可読記憶媒体。
【請求項４１】
前記第１のユーザシステムおよび前記複数の異なるユーザシステムが、定義された地理的エリアと、定義された購買層と、定義された利益団体と、定義されたソーシャルネットワークとのうちの１つまたは複数内のユーザシステムを備える、請求項３９に記載のコンピュータ可読記憶媒体。
【請求項４２】
前記消費関係情報が、前記１つまたは複数の消費品目についての前記消費メトリックに基づく１つまたは複数のレシピを備える、請求項３８に記載のコンピュータ可読記憶媒体。
【請求項４３】
前記消費関係情報が、前記第１のユーザシステムの第１のユーザのための健康アドバイスを備える、請求項３８に記載のコンピュータ可読記憶媒体。
【請求項４４】
前記健康アドバイスは、１つまたは複数の消費品目の消費がターゲットしきい値から所定の差を超えることを示す、前記第１のユーザへの警告を備える、請求項４３に記載のコンピュータ可読記憶媒体。
【請求項４５】
消費関係情報を生成するための前記コードが、前記第１のユーザシステムに関連する第１のユーザによって消費される１つまたは複数の消費品目についての、前記第１のユーザのためのクーポンを生成するためのコードを備える、請求項３８に記載のコンピュータ可読記憶媒体。
【請求項４６】
消費関係情報を生成するための前記コードが、前記第１のユーザシステムに関連する第１のユーザによって消費される１つまたは複数の消費品目についての前記消費メトリックに基づいて、前記第１のユーザに方向づけられた広告を提供するためのコードを備える、請求項３８に記載のコンピュータ可読記憶媒体。
【請求項４７】
識別および量データを受信するための前記コードが、識別および量データを周期的に受信するためのコードを備え、
前記消費メトリックを判断するための前記コードが、経時的な量データの差に基づいて前記消費メトリックを判断するためのコードを備える、請求項３８に記載のコンピュータ可読記憶媒体。
【請求項４８】
識別および量データを受信するための前記コードが、第１の消費品目についての識別および量データを周期的に受信するためのコードを備え、
前記消費メトリックを判断するための前記コードが、前記第１の消費品目の枯渇率に基づいて前記消費メトリックを判断するためのコードを備える、請求項３８に記載のコンピュータ可読記憶媒体。
【発明の詳細な説明】
【技術分野】
【０００１】
[0001]以下は、一般に、消費品目（consumable item）の量を識別および監視することに関し、より詳細には、１つまたは複数の消費品目に関連する消費メトリック（consumption metric）の識別と、消費メトリックに関係する情報の生成とに関する。
【背景技術】
【０００２】
[0002]消費品目は、居住環境、商業環境、および工業環境（industrial settings）の至る所にある（ubiquitous）。居住環境では、消費品目は、通常、食品品目、および薬品、練り歯磨きなどの健康品目を含む。消費品目の正確なインベントリ（inventory）および監視は、消費者がいくつかの決定を行うこと、たとえば、枯渇したかまたはほぼ枯渇している品目を補充すること、食事のために１つまたは複数の品目を選択すること、および様々な品目の摂取を監視することなどを支援し得る。たとえば、消費者の冷蔵庫および／またはパントリー（pantry）中の品目に関係する情報は、食事を計画すること、店からの必要とされる品目を識別することなどを行う際に消費者にとって有用であり得る。さらに、品目の最近のおよび履歴消費に関係する情報は、ナトリウムまたは砂糖などの物質の摂取を判断し、最近のおよび／または履歴消費情報に基づいて特定の品目の消費が増加または減少させられるべきかどうかを識別するために有用であり得る。
【０００３】
[0003]上記で説明した消費に関係する情報は、個人消費者以外の機関（entities）にとっても有用であり得る。たとえば、品目の供給者、製造業者、および流通業者は、様々な品目の消費に関係する情報が事業または広告目的のために有用であることを発見し得る。また、ヘルスケアプロバイダは、ヘルスモニタリング目的のために品目の消費に関係する情報を使用し得る。したがって、安全で確実な（secure）、そのような情報の収集、そのような情報の集積（aggregation）、およびそのような情報の配信が有益であろう。
【発明の概要】
【０００４】
[0004]説明する特徴は、一般に、複数の重量感知デバイス（weight sensing devices）から消費品目についての量データを識別および判断することと、消費品目についての消費メトリックを判断することと、消費メトリックに基づいて消費関係情報を生成することとを行うための１つまたは複数の改善されたシステム、方法、および／または装置に関する。消費関係情報は、たとえば、集積消費情報（aggregate consumption information）を供給者に提供し、健康アドバイスとレシピ（recipes）とを提供することを含む、いくつかの目的のために使用され得る。
【０００５】
[0005]一例では、消費関係情報を生成するために消費品目についての識別および量データを使用するための新規の機能について説明する。重量感知デバイス上での１つまたは複数の品目の重量に基づいて識別および量データを判断するいくつかの重量感知デバイスから、消費品目についての識別および量データが受信される。受信されたデータに基づいて、１つまたは複数の消費品目についての消費メトリックが判断され、消費メトリックに基づいて消費関係情報が生成される。一例では、いくつかの重量感知デバイスは、異なるユーザに関連し、消費メトリックは、何人かの異なるユーザからの受信された情報に基づく１つまたは複数の消費品目についての集積消費メトリック（aggregate consumption metric）を備える。そのような消費関係情報は、たとえば、何人かのユーザのための１つまたは複数の消費品目の補充（replenishment）に対する十分な供給を与える際に使用するサプライチェーン流通情報を含み得る。他の例では、消費関係情報は、１つまたは複数の消費品目についてのユーザの消費メトリックに基づく特定のユーザのための１つまたは複数のレシピ、および／あるいは１つまたは複数の消費品目のユーザの消費がターゲットしきい値から所定の差を超えることを示す特定のユーザへの警告など、特定のユーザのための健康アドバイスを含み得る。
【０００６】
[0006]一例では、方法は、コンピュータシステムにおいて、コンピュータシステムから遠く離れた（remote）いくつかの重量感知デバイスから、１つまたは複数の消費品目についての識別および量データを受信することと、受信されたデータに基づいて１つまたは複数の消費品目についての消費メトリックを判断することと、消費メトリックに基づいて消費関係情報を生成することとを含む。いくつかの重量感知デバイスは何人かの異なるユーザに関連し得、消費メトリックを判断することは、何人かの異なるユーザからの受信された情報に基づいて１つまたは複数の消費品目についての集積消費メトリックを判断することを含み得る。消費関係情報を生成することは、何人かのユーザのための１つまたは複数の消費品目の補充に対する十分な供給を与える際に使用するサプライチェーン流通情報を生成することを含み得る。何人かのユーザは、定義された地理的エリアと、定義された購買層（demographic）と、定義された利益団体（interest group）と、定義されたソーシャルネットワークとのうちの１つまたは複数を含み得る。いくつかの例では、消費関係情報は、１つまたは複数の消費品目についての消費メトリックに基づく１つまたは複数のレシピを含む。他の例では、消費関係情報は、１つまたは複数の消費品目の消費がターゲットしきい値から所定の差を超えることを示す、第１のユーザへの警告など、重量感知面（weight sensing surface）のユーザのための健康アドバイスを備える。さらなる例では、消費関係情報を生成することは、重量感知面に関連するユーザによって消費される１つまたは複数の消費品目についての、ユーザのためのクーポンを生成することを含む。消費関係情報を生成することはまた、いくつかの例では、重量感知面に関連するユーザによって消費される１つまたは複数の消費品目についての消費メトリックに基づいて、ユーザに方向づけられた広告（directed advertisement）を提供することを含み得る。
【０００７】
[0007]識別および量データを受信することは、識別および量データを周期的に受信することを含み得、消費メトリックを判断することは、経時的な（over time）量データの差に基づき得、および／または消費品目の枯渇率（rate of depletion）に基づき得る。消費メトリックを判断することは、第１の消費品目のいくつかの補充にわたる第１の消費品目の平均枯渇率に基づき得る。
【０００８】
[0008]一例による、消費メトリックに基づいて消費関係情報を生成することは、１つまたは複数の消費品目が枯渇したかまたは枯渇に近づいていることを示す、ユーザへの補充通知を生成することを含み得る。他の例では、消費メトリックに基づいて消費関係情報を生成することは、１つまたは複数の消費品目についての量データが消費品目に関連する量しきい値を下回ると判断することと、補充通知を生成することとを含む。消費メトリックは消費品目についての消費率（rate of consumption）を含み得、補充通知を生成することは、消費率に基づいて、消費品目があらかじめ設定された時間期間内に枯渇することが予想されると判断することと、補充通知を生成することとを含み得る。消費品目についてのあらかじめ設定された時間期間は、ユーザによって選択可能であり得る。
【０００９】
[0009]一例では、いくつかのリモート重量感知面から１つまたは複数の消費品目についての識別および量データを受信し、１つまたは複数の消費品目についての消費メトリックを判断するコレクタモジュール（collector module）と、消費メトリックに基づいて消費関係情報を生成する消費関係情報生成器モジュール（consumption-related information generator module）とを含む装置が提供される。コレクタモジュールは、何人かのユーザからの受信された情報に基づいて１つまたは複数の消費品目についての集積消費メトリックを判断し得る。消費関係情報生成器は、一例では、集積消費メトリックに基づいて何人かのユーザのための１つまたは複数の消費品目の十分な供給を与える際に使用するサプライチェーン流通情報を提供する。何人かのユーザは、定義された地理的エリアと、定義された購買層と、定義された利益団体と、定義されたソーシャルネットワークとのうちの１つまたは複数内のユーザを含み得る。
【００１０】
[0010]いくつかの例では、消費関係情報は、１つまたは複数の消費品目についての消費メトリックに基づく１つまたは複数のレシピを含む。他の例では、消費関係情報は第１の重量感知面の第１のユーザのための健康アドバイスを含む。そのような健康アドバイスは、たとえば、１つまたは複数の消費品目の消費がターゲットしきい値から所定の差を超えることを示す警告を含み得る。消費関係情報は、さらなる例では、第１の重量感知面に関連する第１のユーザによって消費される１つまたは複数の消費品目についての、第１のユーザのためのクーポンを含み得る。消費関係情報は、第１の重量感知面に関連する第１のユーザによって消費される１つまたは複数の消費品目についての消費メトリックに基づいて、第１のユーザへの方向づけられた広告を備える。
【００１１】
[0011]様々な例では、コレクタモジュールは、１つまたは複数の消費品目についての識別および量データの定期的更新を受信し、１つまたは複数の消費品目の枯渇率に基づいて消費メトリックを判断する。そのような例では、消費メトリックは、１つまたは複数の消費品目の複数の補充にわたる１つまたは複数の第１の消費品目の平均枯渇率に基づいて判断され得る。消費関係情報生成器は、いくつかの例では、１つまたは複数の消費品目が枯渇したかまたは枯渇に近づいていることを示す補充通知を、重量感知面のユーザに与える。消費メトリックは消費品目についての消費率を備え得、消費関係情報生成器は、消費率に基づいて、消費品目があらかじめ設定された時間期間内に枯渇することが予想されると判断し、補充通知を生成し得る。
【００１２】
[0012]一例では、システムは、受信するための手段から遠く離れたいくつかの重量感知手段から、１つまたは複数の消費品目についての識別および量データを受信するための手段と、受信されたデータに基づいて１つまたは複数の消費品目についての消費メトリックを判断するための手段と、消費メトリックに基づいて消費関係情報を生成するための手段とを含む。いくつかの重量感知手段は何人かの異なるユーザに関連し得、消費メトリックを判断するための手段は、何人かの異なるユーザからの受信された情報に基づいて１つまたは複数の消費品目についての集積消費メトリックを判断するための手段を含み得る。一例による、消費関係情報を生成するための手段は、何人かのユーザのための１つまたは複数の消費品目の補充に対する十分な供給を与える際に使用するサプライチェーン流通情報を生成するための手段を含む。何人かのユーザは、定義された地理的エリアと、定義された購買層と、定義された利益団体と、定義されたソーシャルネットワークとのうちの１つまたは複数内のユーザを含み得る。いくつかの例では、識別および量データを受信するための手段は、識別および量データを周期的に受信するための手段を含み、消費メトリックを判断するための手段は、経時的な量データの差に基づいて消費メトリックを判断するための手段を含む。
【００１３】
[0013]別の例では、コンピュータシステムにおいて、コンピュータシステムから遠く離れたいくつかの重量感知デバイスから、１つまたは複数の消費品目についての識別および量データを受信するためのコードと、受信されたデータに基づいて１つまたは複数の消費品目についての消費メトリックを判断するためのコードと、消費メトリックに基づいて消費関係情報を生成するためのコードとを備える、非一時的コンピュータ可読媒体を含むコンピュータプログラム製品が提供される。いくつかの重量感知デバイスは何人かの異なるユーザに関連し、消費メトリックを判断するためのコードは、何人かの異なるユーザからの受信された情報に基づいて１つまたは複数の消費品目についての集積消費メトリックを判断するためのコードを含み得る。消費関係情報を生成するためのコードは、何人かのユーザのための１つまたは複数の消費品目の補充に対する十分な供給を与える際に使用するサプライチェーン流通情報を生成するためのコードを含み得る。いくつかの例では、何人かのユーザは、定義された地理的エリアと、定義された購買層と、定義された利益団体と、定義されたソーシャルネットワークとのうちの１つまたは複数内のユーザを備える。消費関係情報を生成するためのコードは、第１の重量感知面に関連する第１のユーザによって消費される１つまたは複数の消費品目についての、第１のユーザのためのクーポンを生成するためのコードを含み得る。消費関係情報を生成するためのコードは、他の例では、第１の重量感知面に関連する第１のユーザによって消費される１つまたは複数の消費品目についての消費メトリックに基づいて、第１のユーザに方向づけられた広告を提供するためのコードを含み得る。識別および量データを受信するためのコードは、様々な例によれば、識別および量データを周期的に受信するためのコードを含み得、消費メトリックを判断するためのコードは、経時的な量データの差に基づいて消費メトリックを判断するためのコードを含み得る。いくつかの例では、識別および量データを受信するためのコードは、第１の消費品目についての識別および量データを周期的に受信するためのコードを含み、消費メトリックを判断するためのコードは、第１の消費品目の枯渇率に基づいて消費メトリックを判断するためのコードを含み得る。
【００１４】
[0014]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１５】
【図１】[0015]本開示のシステムの一例のブロック図。
【図２】[0016]本開示のシステムの代替例の別のブロック図。
【図３】[0017]本開示のシステムのまた別の代替例の別のブロック図。
【図４】[0018]中央サーバコンピュータシステムの一例のブロック図。
【図５】[0019]ユーザシステムの一例のブロック図。
【図６】[0020]重量感知モジュールの一例のブロック図。
【図７】[0021]重量感知モジュールのグリッドの一例のブロック図。
【図８】[0022]重量感知モジュールのグリッドの一例の別のブロック図。
【図９】[0023]消費品目の一例のブロック図。
【図１０】[0024]補充可能なコンテナ（refillable container）の一例のブロック図。
【図１１】[0025]プログラマブルコンテナの一例のブロック図。
【図１２】[0026]品目および量データを識別し、消費関係情報を生成するための方法のフローチャート。
【図１３】[0027]品目および量データを識別し、品目に関係する集積消費を判断するための別の方法のフローチャート。
【図１４】[0028]消費データに基づいて健康アドバイスを生成するための方法のフローチャート。
【図１５】[0029]消費データに基づいて健康アドバイスを生成するための別の方法のフローチャート。
【図１６】[0030]品目識別に基づいてレシピ情報を提供するための方法のフローチャート。
【図１７】[0031]品目識別および量データに基づいて補充情報を提供するための方法のフローチャート。
【発明を実施するための形態】
【００１６】
[0032]消費品目のインベントリを判断し、消費品目に関係する消費メトリックを判断し、消費メトリックに基づいて消費関係情報を提供するためのシステムが提供される。消費品目は、たとえば、食品または健康関係製品を含み得、消費メトリックは、存在する消費品目、あるいは消費者によってまたは世帯において（in a household）消費される消費品目の量を含み得る。個人または世帯などのユーザは、消費品目に関係する情報と、消費品目に関連する量データとを報告するためのユーザシステムを有し得る。そのようなユーザシステムは、品目を識別し、（１つまたは複数の）重量感知面によって検出された品目重量に基づいて品目に関係する量データを判断することができる、１つまたは複数の重量感知面を含み得る。
【００１７】
[0033]消費関係情報は、品目と、品目の重量と、経時的な品目重量の差とを識別することによって判断され得る。消費関係情報は、場合によっては、ユーザのグループのための集積消費情報を含み得、それは、たとえば、ある地理的エリア中のユーザのグループのための集積消費情報に基づいてその地理的エリアにおける製品の十分なインベントリを保証するためのサプライチェーン管理、およびユーザのグループを対象とする広告など、いくつかの目的のいずれかのために使用され得る。いくつかの例では、消費関係情報は、たとえば、あるスポーツイベントまたはテレビ番組中に増加したアルコール飲料またはソフトドリンク消費など、品目がいつ消費される傾向があるかを知ることに興味を持っている広告主によって使用され得る、品目の消費の時間を含み得る。消費関係情報はまた、消費されたいくつかの品目（たとえば、ナトリウム）の量に関する警告、あるいは深夜または非食事時間の間食に関する警告など、健康関係情報を含み得る。様々な例では、システムは、消費および／またはインベントリ情報に基づいて、示唆されたレシピ、クーポン、広告、警告、物品、および／または他の情報をユーザに提供し得る。情報は、消費者、広告主または供給者などの企業ユーザ、および／あるいは１つまたは複数の品目または１つまたは複数のユーザのグループについての消費パターンに関係する集積情報を収集しようとする政府または他の機関に提供され得る。一意の（unique）消費者データが、特定の消費者からの許可なしに提供されるのを防ぐために、プライバシー安全装置（privacy safeguards）が実装され得る。
【００１８】
[0034]したがって、以下の説明は、例を与えるものであり、特許請求の範囲において記載される範囲、適用性、または構成を限定するものではない。本開示の趣旨および範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００１９】
[0035]最初に図１を参照すると、いくつかのユーザシステム１０５を含むシステム１００の一例がブロック図に示されている。ユーザシステム１０５は、１つまたは複数の重量感知面１１０に接続される。重量感知面１１０は、表面（surface）上に置かれた品目、ならびに品目の重量を識別するための構成要素を含み得る。たとえば、以下でより詳細に説明するように、重量感知面１１０は、消費品目上にある無線周波数識別情報（ＲＦＩＤ：Radio Frequency Identification）タグを読み取ることが可能な１つまたは複数のＲＦＩＤ質問器（interrogators）を含み得る。ＲＦＩＤ質問器はまた、重量感知面１１０上の消費品目のロケーションを判断することが可能である。重量感知面１１０はまた、品目の重量を判断することが可能であり得、それは、品目に関係する量データを判断するために使用され得る。識別および量データは、ネットワーク１１５上で中央サーバコンピュータシステム１２０に送られ得る。いくつかの例では、ＲＦＩＤ質問器は、品目のＲＦＩＤタグからＵＲＬを読み取り、品目の製造業者に関連するリモートサーバからネットワーク１１５を介して品目情報を取り出す。そのような場合、製造業者は、品目の元の重量および内容を提供し得、また、リコール通知を追加することなど、品目情報への更新を提供し得る。ユーザシステム１０５はそれぞれ、たとえば、冷蔵庫中、パントリー中、および／または薬品キャビネット中など、異なるエリア中にあるいくつかの重量感知面１１０を含み得る。各重量感知面１１０は、ネットワーク接続、ワイヤレス接続（たとえば、ＩＥＥＥ８０２．１１、Ｚｉｇｂｅｅ（登録商標）、Ｂｌｕｅｔｏｏｔｈ（登録商標）接続、または他のワイヤレス規格）を通してネットワーク１１５と通信するように動作し得るか、あるいは、場合によっては、次いでネットワーク１１５上で通信するユーザシステム１０５中の中心ノードに接続し得る。
【００２０】
[0036]中央サーバコンピュータシステム１２０は、たとえば、１つまたは複数のサーバコンピュータ、パーソナルコンピュータ、ワークステーション、ウェブサーバ、または他の好適なコンピューティングデバイスで構成され得、所与のサーバ用の（１つまたは複数の）個々のコンピューティングデバイスは、互いにローカルまたはリモートであり得る。中央サーバコンピュータシステム１２０は、品目および量データを収集し、収集されたデータに基づいて様々な消費関係情報を提供し得る。たとえば、中央サーバコンピュータシステム１２０は、ＲＦＩＤタグから識別データを受信し、識別データに基づいてＲＦＩＤタグに関連する特定の品目を判断し得る。たとえば、重量感知面１１０−ａ上にある砂糖の袋が、ＲＦＩＤ質問器による問合せ時に識別コードを報告するＲＦＩＤタグを有し得る。重量感知面１１０−ａは、品目が砂糖であることを識別コードが示すと判断するために中央サーバコンピュータシステムによって使用される識別コードとともに、袋の重量を与え得る。中央サーバコンピュータシステム１２０はまた、満杯の砂糖の袋の重量を判断し、報告されたコンテナ中に存在する砂糖の量を判断し得る。他の例では、品目が袋の砂糖であるという判断と、満杯の砂糖の袋の重量の判断とは、品目上のＲＦＩＤタグによって報告されるＵＲＬにアクセスすることによって達成され得る。いくつかの例では、ユーザシステム１０５は、ユーザシステム１０５によって維持されるすべての品目のインベントリとともに、品目識別情報と品目の満杯の重量とを判断するために、中央サーバコンピュータシステム１２０に照会する。ユーザシステム１０５は、そのような例では、品目インベントリおよび消費データに関係する情報を中央サーバコンピュータシステム１２０に定期的に報告し得る。
【００２１】
[0037]情報は、ユーザシステム１０５−ａ中のインターフェースを通して、ワイヤレスアクセスシステム１２５とモバイルデバイス１３０とを通して、および／またはユーザアクセス可能ウェブベースインターフェースを通してユーザシステム１０５−ａのユーザに報告され得る。そのようなシステムでは、ユーザシステム１０５−ａのユーザは、（１つまたは複数の）重量感知面１１０−ａ上にある品目を監視し、消費関係情報にアクセスするために使用されるモバイルデバイス１３０−ａを有し得る。そのような情報は、以下でより詳細に説明するように、たとえば、買い物リストまたはレシピを判断するために使用され得る。モバイルデバイス１３０は、スマートフォン、セルラーフォン、ＶｏＩＰ電話、携帯情報端末、タブレットコンピュータ、ラップトップコンピュータ、ポータブルデジタル音楽プレーヤ、または音声および／もしくはデータを通信する他のモバイルデバイスなどのいくつかのデバイスのうちの１つ、あるいは上記の任意の組合せであり得る。また、インベントリとレシピと警報とユーザ環境（user settings）とを監視および管理するために、ユーザが何らかのウェブ対応デバイスからアクセスし得るウェブベースインターフェースが提供され得る。ワイヤレスアクセスシステム１２５は、いくつかの異なるワイヤレスプロトコルのうちのいずれかの上でデータを送信することが可能な、任意の好適なワイヤレスネットワークを含み得る。そのようなネットワークは、よく知られており、ここでさらに詳細に説明する必要はない。
【００２２】
[0038]消費情報はまた、集積消費関係情報に関心がある機関が使用するために、集積データ顧客システム１３５に提供され得る。いくつかの例を挙げれば、特定の地理的エリア中にあるすべてのユーザシステム１０５、特定の共通の興味を有するユーザ（たとえば、ランナー、自動車愛好者、またはソーシャルネットワークのメンバー）に関連するユーザシステム１０５、または特定の購買層に関連するユーザシステム１０５など、ユーザシステム１０５のグループに関係する集積された情報である消費関係情報が提供され得る。
【００２３】
[0039]集積データ顧客システム１３５は、いくつかの例では、消費品目のためのサプライチェーンまたは流通を調整するためにそのような情報を使用し得る。集積データ顧客システム１３５が食料雑貨流通業者によって使用される場合、たとえば、特定の地理的エリア中の人々が豊富な卵を有することを示す集積データは、流通業者を、彼らの卵供給者から要求される卵の数を低減し、その特定の地理的エリア中の食品雑貨店に提供される卵の数を低減するように導き得る。同様に、特定の地理的エリア中の人々が、グループとして、有する卵の数が少ないことを集積データが示した場合、流通業者は、彼らの卵供給者から要求される卵の数を増加させ、切迫した（imminent）需要の増加を予想してその特定の地理的エリア中の食品雑貨店に提供される卵の数を増加させ得る。同様に、集積データ顧客システム１３５が広告代理店によって使用される場合、特定の購買層またはグループの人々が特定の品目を比較的大きい量で消費する傾向があることを示す集積データは、その購買層またはグループを対象とする広告またはクーポンキャンペーンを促し得る。たとえば、自動車愛好者が比較的大量の牛肉を消費する傾向がある場合、牛肉供給者は、自動車愛好者に人気があることが知られているメディアでの広告を増やすことを決定し得る。さらに、集積データ顧客システム１３５が広告代理店によって使用される場合、特定の購買層またはグループの人々が特定の品目を比較的大きい量で消費する傾向がある消費時間を示す集積データは、そのような高い消費時間中に消費者によって閲覧されるメディアを対象とする広告またはクーポンキャンペーンを促し得る。様々な例では、ユーザシステム１０５のユーザは、彼らの興味（interests）、ソーシャルグループに関係する情報、および／または購買層情報（demographic information）を提供することを選択し、この情報を、集積データ顧客システム１３５にとって利用可能にし得る。いくつかの例では、ユーザは、彼らの消費情報および他の情報とともに、彼らの個人情報を集積データ顧客システム１３５にとって利用可能にすることを選択し得る。クーポンまたは他のオファーは、そのような例では個々のユーザに直接提供され得る。
【００２４】
[0040]次に図２を参照しながら、消費品目識別および量データを使用するシステム２００の一例について説明する。いくつかのユーザシステム２０５からの消費関係情報は、中央サーバコンピュータシステム１２０−ａに提供され得る。ユーザシステム２０５は、図１のユーザシステム１０５の一例であり得る。中央サーバコンピュータシステム１２０−ａは、情報を収集し、データを供給者２１０に提供する。たとえば、供給者２１０は、図１の集積データ顧客システム１３５のユーザであり得る。供給者２１０は、１つまたは複数の特定の消費品目に関係する情報を受信し、データに基づいてサプライチェーン調整を行い得る。
【００２５】
[0041]たとえば、同様に上記で説明したように、供給者２１０は、消費品目を特定の地理的領域、または複数の地理的領域に与え得る。中央サーバコンピュータシステム１２０−ａによって与えられるデータが、特定の地理的エリア中のユーザシステム２０５がある品目の比較的多い量を有することと、異なる地理的エリア中のユーザシステムがその品目の比較的少ない量を有することとを示した場合、供給者２１０は、そのエリア中の需要の増大を予想して、その品目の追加の量をその品目の比較的少ない量を有する地理的エリアに転送する（divert）ことを選択し得る。いくつかの例では、ユーザシステム２０５のユーザは、個人的な識別情報が供給者２１０に提供されることを許すことを選択し得る。供給者２１０は、次いで、特定のユーザに方向づけられた広告またはクーポンを提供するために、消費品目および消費関係情報とともに、この個人的な識別情報を使用し得る。別の例では、ユーザが比較的大量のミルクを消費し得、供給者が、供給者の店のうちの１つにそのユーザを導くように、ミルクに関係するクーポンまたは広告をそのユーザに提供し得る。他の例では、供給者２１０は、クーポンとともに、特定の品目が残り少なくなっているユーザに通知を送り得る。また、さらなる例では、１つまたは複数の消費品目の量が、あるしきい値を下回ったとき、ユーザシステム２０５のユーザは、その品目を自動的に補充するための供給者２１０との補充契約（replenishment agreement）を結び得る。そのようなしきい値は、ユーザによって設定または調整され得、および／またはユーザの履歴消費パターン（historical consumption patterns）（たとえば、休暇シーズン中により多い量のバターが使用される）に基づき得る。
【００２６】
[0042]他の例では、ユーザシステム２０５のユーザは、ユーザ購買層、趣味、活動、および／または興味に関係する一定の情報を提供することを選択し得る。供給者２１０は、そのような個人に人気があることが知られている特定のロケーションまたはメディアで、またはそのような個人が特定の品目の消費を増加させたことが知られている時間において方向づけられた広告またはクーポンを提供するために、消費品目および消費関係情報とともに、この情報を受信し得る。たとえば、ユーザのグループが彼ら自身をランナーとして識別した場合、ランナーに人気があることが知られているロケーション、テレビ番組、または刊行物で広告するために有益であり得る品目を識別するために、そのユーザのグループのための消費品目および消費関係情報が使用され得る。もちろん、消費品目および関連する消費関係情報は、多数の異なる目的のために使用され得、本明細書で説明する例は、図示および説明のためにのみ与えられ、本開示の幅広い態様をいかなる形でも限定するものではない。
【００２７】
[0043]次に図３を参照しながら、健康関係アプリケーションにおいて消費品目識別および量データを使用するシステム３００の一例について説明する。ユーザシステム３０５からの消費関係情報は、この例では、中央サーバコンピュータシステム１２０−ａに提供され得る。ユーザシステム３０５は、図１のユーザシステム１０５の一例であり得る。中央サーバコンピュータシステム１２０−ｂは、情報を収集し、健康情報データベース３１０にアクセスする。健康情報データベース３１０は、たとえば、ユーザシステム３０５に関連する１人または複数のユーザのための健康アドバイスを判断するために評価され得る異なる消費品目の内容に関係するデータを含み得る。たとえば、中央サーバコンピュータシステム１２０−ｂは、ユーザシステム３０５のユーザについての食品消費履歴を追跡し得る。ユーザによって消費された食品は、たとえば、ユーザがバランスのとれた食事をとっているかどうかを判断するために、健康情報データベース３１０を使用して評価され得る。他の例としては、ナトリウムまたはビタミンＣなどの様々な物質、および／あるいはユーザの総合的な健康または幸福（well-being）に対する影響を有し得る他の物質の集積消費の監視がある。また、消費の時間は、深夜の間食など、ユーザがユーザの健康に影響を及ぼし得る習慣を有するかどうかを判断するために監視され得る。健康情報データベース３１０は、健康関係情報をユーザアクセスデバイス３１５に提供するために使用され得る。たとえば、そのような健康関係情報は、消費レベルに関する警報、バランスのとれた食事のための提案されたレシピ、ならびに関連するクーポンおよび割引（deals）を含み得る。
【００２８】
[0044]一例では、ユーザが処方薬の処方に従って処方薬を服用していることの確認（verification）を支援するために、薬品の消費が監視され得る。そのような例では、薬品コンテナは、重量感知面によって識別される、ＲＦＩＤタグなどのタグを有し得、処方に従って品目の重量が減少していることを確認するために重量が監視される。したがって、ユーザが高血圧薬を処方された場合、その薬品は、タグを有するコンテナ中に与えられるか、またはそのコンテナに移しかえられ得る。コンテナは、ユーザシステム３０５の重量感知面上に置かれ、特定の量の血圧薬品を含んでいるものとして識別され得る。コンテナ中の薬品の量は監視され、経時的な量の差は、薬品の処方による予想される量の差に相関する。量の差が予想された差とは異なり、薬品が、処方されたように消費されていないことがあることを示す場合、ユーザ、家族、および／またはヘルスケアプロバイダに警報が与えられ得る。他の例では、処方されたものを含んでいる品目に関連する量があるレベルを下回ったとき、処方が自動的に追加注文され（be automatically re-ordered）得る。前の例を続けると、血圧薬品は、量の情報が、選択可能な日数分の薬品よりも残っている薬品が少ない（たとえば、処方に従って薬品が消費されると仮定すると、７日分の薬品よりも少ない）ことを示すとき、自動的に追加注文され得る。特定の処方が、医師の承認がない再補充（refills）に適していない場合、システムは、医師の承認が必要とされることを示す通知をユーザ、家族、および／またはヘルスケアプロバイダに送り得る。いくつかの例では、ユーザシステム３０５は、ユーザのカレンダーとヘルスケアプロバイダのためのアポイントメントスケジューラとにアクセスし、診療所訪問のための日時を提案し得る。
【００２９】
[0045]ユーザシステム３０５への１つの入力は、ユーザによって消費される個々の品目に関するリアルタイム、またはほぼリアルタイムな量情報を提供する、上記で説明したような１つまたは複数の重量感知面を有するサブシステムであり得る。他の入力は、ユーザ体重を追跡および報告するサービス、および／または、たとえば、クレジットカード明細書または食事請求書／領収書を分析することなどを通して他の消費を追跡するサービスであり得る。一例では、サービスは、ユーザのモバイルデバイスを使用して入力される、ユーザによって消費された食品品目の情報および／または写真に基づく消費情報を提供し得る。この例では、ユーザアクセスデバイス３１５は、ユーザが、ユーザの食事に関係する情報を入力し、および／または食事の写真を撮り、送ることを可能にするアプリケーションを含み得る。この情報は、中央サーバコンピュータシステム１２０−ｂと健康情報データベース３１０とに提供され得る。健康情報データベース３１０は、様々な例では、様々な物質のターゲット消費レベルとともに、消費された食品における栄養情報に関係するデータを含む。中央サーバコンピュータシステム１２０−ｂは、ユーザに関連する、ターゲット範囲外にある値を判断するために、健康情報データベース３１０を照会し、指摘された警報と、提案されたレシピと、クーポンとのうちの１つまたは複数をユーザアクセスデバイス３１５に提供し得る。ユーザアクセスデバイス３１５は、ユーザシステムに関連するユーザインターフェース、別個のアクセスデバイス、図１のデバイス１３０などのモバイルデバイスなどであり得る。いくつかの例では、報告が、電子メールまたは他の電子配信を通してユーザに提供され、同様に、ユーザのヘルスケアプロバイダに提供される。いくつかの例では、ユーザは、消費パターンに基づいて健康関係製品または保険におけるディスカウントを受信し得、中央サーバコンピュータシステム１２０−ｂと健康情報データベース３１０とは、特定のユーザがそのようなディスカウントに対して適格であるかどうかを判断するためにそのユーザの消費に関係する情報を提供する。当業者には容易に明らかであるように、消費関係情報は、多数の異なる健康関係目的のために使用され得、本明細書で説明する例は、図示および説明のためにのみ与えられ、本開示の幅広い態様をいかなる形でも限定するものではない。
【００３０】
[0046]次に図４を参照しながら、中央サーバコンピュータシステム１２０−ｃの一例について説明する。ネットワークインターフェースモジュール４０５は、中央サーバコンピュータシステム１２０−ｃの構成要素と、ネットワーク１１５との間の相互接続を提供する。コレクタモジュール４１０は、ネットワークインターフェース４０５とネットワーク１１５との上で複数のリモート重量感知面から１つまたは複数の消費品目についての識別および量データを受信し、１つまたは複数の消費品目についての消費メトリックを判断する。消費関係情報生成器モジュール４１５は、消費メトリックに基づいて消費関係情報を生成する。データベース４２０は、コレクタモジュール４１０と消費関係情報生成器モジュール４１５とに結合され、消費品目および量に関係するデータを記憶し、それらのデータは、たとえば、品目についての経時的な重量差に基づいて品目についての消費情報を判断するために、コレクタモジュール４１０と消費関係情報生成器モジュール４１５とによって使用され得る。消費メトリックは、データベース４２０に記憶されたそのような履歴に関係する情報とともに、消費品目のいくつかの補充にわたる消費品目の平均枯渇率に基づいて判断され得る。いくつかの例では、消費関係情報生成器モジュール４１５は、１つまたは複数の消費品目が枯渇したかまたは枯渇に近づいていることを示す、ユーザへの補充通知を与える。消費メトリックは、そのような場合、消費品目についての消費率を含み得、消費関係情報生成器モジュール４１５は、消費率に基づいて、消費品目があらかじめ設定された時間期間内に枯渇することが予想されると判断し、補充通知を生成する。いくつかの例では、コレクタモジュールは、同様に上記で説明したように、ユーザのグループからの受信された情報に基づいて１つまたは複数の消費品目についての集積消費メトリックを判断し、それは、たとえば、ユーザのグループのための消費品目の十分な供給を与える際に使用する広告および／またはサプライチェーン流通情報に関係する、上記で説明したような情報を提供するために、消費関係情報生成器モジュールによって使用され得る。
【００３１】
[0047]消費関係情報生成器モジュール４１５は、同様に上記で説明したように、１つまたは複数の消費品目についての消費メトリック、またはユーザのための健康アドバイスに基づいてレシピを提供し得る。ユーザが、腐敗しやすく、消費期限（expiration date）に近づいている品目を効果的に使用することが可能になるレシピが提供され得る。いくつかの例では、ユーザのためのバランスのとれた食事を達成しようとするレシピが提供され、その場合、履歴消費は、バランスのとれた食事を達成するために食べられるべきである食品を判断する際に使用するために評価され得る。そのようなレシピには、そのレシピで（１つまたは複数の）食事を準備するために必要とされる追加の品目のリストが添えられ得、ユーザは、その追加の品目のリストを買い物リストまたは食品デリバリーリストとして使用し得る。健康アドバイスは、たとえば、１つまたは複数の消費品目の消費がターゲット消費しきい値から所定の差を超えることを示す警告を含み得る。たとえば、ユーザがナトリウムの多い食品を消費している場合、健康アドバイスは、ユーザの入手可能な品目に基づく１つまたは複数の提案された低ナトリウムレシピとともに、最近のナトリウム消費がしきい値レベルを超えたことを示す警告を含み得る。他の例では、消費関係情報生成器モジュール４１５は、第１のユーザによって消費された１つまたは複数の消費品目についてのクーポンをユーザに提供し得るか、または消費品目についての消費メトリックに基づいて方向づけられた広告をユーザに提供し得る。
【００３２】
[0048]次に図５を参照しながら、例示的な実装形態のためのユーザシステム５００のブロック図について説明する。ユーザシステム５００は、図１のユーザシステム１１０と、関連する（１つまたは複数の）重量感知面１１５との一例であり得る。この例では、コントローラモジュール５０５は、ワイヤードまたはワイヤレスネットワークインターフェース、および場合によっては関連するユーザインターフェースなどを通してシステム５００からの入力および出力を与える。コントローラモジュール５０５は、ソフトウェアアルゴリズムを実行することが可能なマイクロプロセッサを含んでいることがある。重量感知モジュール５１０は、関連する重量情報とともに消費品目の識別情報をコントローラモジュール５０５に与え得る。重量感知モジュール５１０は、図１の重量感知面１１５の一例であり得る。
【００３３】
[0049]メモリ５１５は、ランダムアクセスメモリ（ＲＡＭ）と読取り専用メモリ（ＲＯＭ）とを含み、実行されたとき（またはコンパイルされ、実行されたとき）コントローラ５０５に、本明細書で説明する様々な機能（たとえば、消費品目の重量および識別情報を判断するなど）を実行させるように構成された命令を含んでいるコンピュータ可読、コンピュータ実行可能ソフトウェアコード５２０を記憶し得る。電源５２５は、交流電力入力への接続を含み、システム５００の構成要素に電力を与え得る。コントローラモジュール５０５は重量感知モジュール５１０から情報を取得し、その情報は、入力／出力を通って外部システム（図１の中央サーバコンピュータシステム１２０など）に与えられ得る。入力／出力がユーザインターフェースを含む例では、コントローラ５０５は、上記で説明したような消費関係情報を受信し、消費関係情報をユーザインターフェースに与え得る。いくつかの例では、コントローラ５０５は、品目の重量を読み取り、１つまたは複数の重量感知面上にある消費品目のロケーションおよび識別情報を判断するために、重量感知モジュール５１０に関連するＲＦアンテナを制御するように構成される。ユーザシステム５００の構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、ユーザシステム５００の動作に関係する１つまたは複数の機能を実行するための手段であり得る。
【００３４】
[0050]次に図６を参照しながら、一例の重量感知モジュール５１０−ａのブロック図について説明する。この例では、重量感知モジュール５１０−ａは、１つまたは複数の重量センサー６０５と質問器モジュール６１０とを含む。質問器モジュール６１０は、ＲＦＩＤ質問器であり得、重量感知モジュール５１０−ａ上に置かれ得る消費品目上のＲＦＩＤタグに信号を送信し、送信された信号に応答してＲＦＩＤタグから信号を受信するために電圧を加えられる（is energized）アンテナ６１５を含む。
【００３５】
[0051]図７のブロック図７００に示すようないくつかの例では、いくつかの重量感知モジュールが重量感知面７０５に組み込まれる。重量感知モジュール７１０〜７３５は、圧電デバイス上にある品目の重量に比例する電圧を出力する圧電デバイス（piezoelectric devices）などの重量感知構成要素を含み得る。当業者によって認識されるように、面圧力センサー、ＭＥＭＳベース重量感知面、電気的センサー、機械的センサー、電気機械センサー、またはそれらの組合せなど、他の重量センサーが使用され得る。重量感知面７０５は、この例では、いくつかの重量感知モジュール７１０〜７３５をもつグリッドパターン（grid pattern）で構成される。各重量感知モジュール７１０〜７３５は、重量センサー６０５と、質問器モジュール６１０と、アンテナ６１５とを含む。重量感知面７０５は、一例では、２つのレイヤから構成されたフィルムからなり、質問器モジュール６１０−ａ〜６１０−ｆと、関連するアンテナ６１５−ａ〜６１５−ｆとが面７０５の下部「通信層」中にあり、重量センサー６０５−ａ〜６０５−ｆが面７０５の最上層中にある。上述のように、重量感知モジュール７１０〜７３５はアレイで構成され、各アンテナ６１５−ａ〜６１５−ｆは、ＲＦ信号を放出することが個々に可能であり得る。いくつかの例では、アンテナ６１５−ａ〜６１５−ｆによって送信および受信される電力は十分に低いので、直接アンテナ６１５上にあるかまたはそれに隣接する品目のみが、問い合わせられる（be interrogated）ことが可能である。そのような方法で、品目とそれの重量とはマッチングされ得る。アンテナ６１５が２つ以上の品目から信号を受信した場合、質問器に最も近い品目、したがって、特定の重量感知モジュール７１０〜７３５上にある品目を判断するために、信号強度が使用され得る。いくつかの例では、単一のコントローラがグリッド中の各アンテナ６１５に結合され、そのような場合、各重量送信モジュール７１０〜７３５について、別個の質問器モジュール６１０が必要とされないことがある。重量感知面７０５の構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、面７０５の動作に関係する１つまたは複数の機能を実行するための手段であり得る。
【００３６】
[0052]他の例では、２つ以上の質問器アンテナによって受信されたＲＦＩＤタグからの信号強度を通して、品目のロケーションが判断され得る。図８にそのようなシステム８００の一例を示す。この例では、重量センサー６０５−ｇ〜６０５−ｌのグリッドを含み、関連するアンテナ６１５−ｇおよび６１５−ｈを有する２つの質問器モジュール６１０−ｇおよび６１０−ｈを含む重量感知面８０５が与えられる。特定の重量センサー６０５−ｇ〜６０５−ｌに関連する面８０５の一部分上に置かれた品目の重量がコントローラ８１０に与えられ得る。コントローラ８１０は、一例では、図５のコントローラモジュール５０５と通信していることがある。他の例では、コントローラ８１０と質問器モジュール６１０−ｇおよび６１０−ｈとの機能は、図５のコントローラモジュール５０５によって実行され得る。質問器モジュール６１０−ｇおよび６１０−ｈは、面８０５上に置かれた品目上のＲＦＩＤタグに問い合わせるために、アンテナ６１５−ｇおよび６１５−ｈに電圧を加える。質問器モジュール６１０−ｇおよび６１０−ｈは、ＲＦＩＤタグから信号を受信し、受信した信号をコントローラ８１０に与える。質問器モジュール６１０−ｇおよび６１０−ｈによって与えられる相対的信号強度は、面８０５上の関連する品目のロケーションを判断するためにコントローラ８１０によって評価される。このロケーションは、面上に置かれた消費品目についての重量および識別情報を与えるために、そのロケーションの重量センサー６０５によって判断された重量とマッチングされる。品目についてのロケーション、重量、および識別情報は記憶され、システム８００のユーザに提供され得る。いくつかの例では、品目のロケーションは、興味のある品目（an item of interest）のロケーションにおいてまたはその近くで重量感知面８０５に組み込まれたＬＥＤなど、インジケータを照明することを通してユーザに識別され得る。
【００３７】
[0053]次に図９を参照しながら、消費品目９００の一例について説明する。この例では、消費品目９００は、食品など、消費材料を保持し得るコンテナ９０５を含む。識別タグ９１０は、消費品目の識別情報を提供する。一例では、識別タグ９１０は、消費品目９００に関連する一意の識別情報を出力するＲＦＩＤタグを含む。そのようなＲＦＩＤタグはよく知られており、多くの消費者製品は、インベントリ追跡目的などのためにそのようなＲＦＩＤタグを備えている。ＲＦＩＤタグと質問器とについて、いくつかの例で説明するが、光バーコード技術など、他の識別情報技術が使用され得ることを理解されよう。識別タグ９１０からの識別情報は、質問器によって読み取られ、識別情報を、本明細書で説明する重量感知面から与えられた重量データなどの量データとマッチングし得るコントローラに与えられる。
【００３８】
[0054]他の例では、本明細書で説明するようなシステムとともに使用可能である補充可能なコンテナが与えられ得る。補充可能なコンテナシステム１０００の一例は、図１０で与えられる。この例では、コンテナ１００５は識別タグ１０１０を含む。識別タグ１０１０は、消費品目の識別情報を与え、識別情報は、コンテナ１００５中に含まれている特定の品目を識別するために、ユーザシステム中のユーザインターフェースを介してプログラムされ得る。たとえば、ユーザは、残りの食品（leftover food）をコンテナに入れ、コンテナを重量感知面上に置き得る。システムに関連するインターフェースは、重量感知面上の品目を補充可能なコンテナとして識別し、食品の識別情報、および食品が消費または廃棄されるべき日付など、コンテナ中にある残りの食品に関係する情報を入力するようにユーザに促し得る。いくつかの例では、識別タグは、たとえば、図５のユーザシステム５００などの外部システムにワイヤレス接続を通してプログラムされ得る。そのような場合、ユーザは、コンテナ１００５の内容に関係する情報をシステムユーザインターフェースに入力し得、システムは、近傍界通信（near field communication）または他のワイヤレス通信などを通して情報を識別タグ１０１０に送信し得る。識別タグ１０１０は、次いで、問い合わせられたとき、問い合わせているシステムに情報を提供し得る。他の例では、識別タグ１０１０はプログラマブルでなく、コンテナの内容に関係する情報はユーザシステムメモリに記憶される。
【００３９】
[0055]図１１に示す別の例では、コンテナシステム１１００は、コンテナの内容に関係する情報を含むようにプログラムされ得る。この例では、補充可能なコンテナ１１０５は、コントローラ１１１０と、ユーザインターフェース１１１５と、識別タグ１１２０とを含む。この例では、コントローラ１１１０は、消費品目の識別情報、および品目が消費または廃棄されるべき日付などの関係情報とともに、補充可能なコンテナ１１０５に入れられた消費品目を識別するためにユーザインターフェース１１１５からユーザ入力を受信するように動作するメモリとプロセッサとを含み得る。コントローラ１１１０は、いくつかの例では、補充可能なコンテナ１１０５に入れられた消費品目に関する情報を関係情報とともにワイヤレス受信し、したがって、ユーザインターフェース１１１５、または図１０に関して上記で説明したような外部システムインターフェースのいずれかを介したコンテナ１１０５のプログラミングを可能にし得る。
【００４０】
[0056]次に図１２を参照しながら、消費関係メトリックを生成するための方法１２００について説明する。方法１２００は、たとえば、図１〜図８の中央サーバコンピュータシステムまたはユーザシステムによって、あるいはこれらの図に関して説明したデバイスの任意の組合せを使用して実行され得る。初めに、ブロック１２０５において、複数のリモート重量感知デバイスから、１つまたは複数の消費品目についての識別および量データが受信される。そのようなデータは、上記で説明したような重量感知面から受信され得る。たとえば、卵のコンテナは、重量感知面上に置かれ得る。重量感知面は、卵コンテナを卵を含んでいるものとして識別するそのコンテナ上のタグに問い合わせ得る。コンテナに関連する重量は、ブロック１２０５に従って受信された重量および識別情報を用いて判断される。いくつかの例では、時間は、消費の時間に関係する情報を提供するために使用され得る重量および識別情報に関連する。ブロック１２１０において示したように、受信されたデータに基づいて１つまたは複数の消費品目についての消費メトリックが判断される。上記の例を続けると、受信した重量および識別情報データは、その特定の品目の１つまたは複数の前の重量と比較され、重量の差は、消費された品目の量を判断するために使用され得る。卵が入っているコンテナの例では、１つまたは複数の時間期間の間に消費される卵の量は、消費メトリックとして判断され得る。ブロック１２１５において、消費メトリックに基づいて消費関係情報が生成される。そのような消費関係情報は、集積消費関係情報と健康関係情報とを含む、上記で説明したような情報を含み得る。たとえば、集積消費関係情報は、地理的エリア中の、ソーシャルネットワーク中の、興味のある共通のセットをもつなどのユーザのグループのための情報を含み得る。健康関係情報は、ある物質の消費がターゲットしきい値を上回るかまたは下回るという警告、薬品情報、および／または上記で説明したようなレシピ情報を含み得る。
【００４１】
[0057]図１３に、集積消費情報を判断するための方法１３００を示す。方法１３００は、たとえば、図１〜図８の中央サーバコンピュータシステムまたはユーザシステムによって、あるいはこれらの図に関して説明したデバイスの任意の組合せを使用して実行され得る。初めに、ブロック１３０５において、複数のリモート重量感知デバイスから、１つまたは複数の消費品目についての識別および量データが受信される。ブロック１３１０において示したように、受信されたデータに基づいて１つまたは複数の消費品目についての消費メトリックが判断される。ブロック１３１５に従って、複数のユーザについての消費メトリックが集積される（is aggregated）。複数のユーザは、たとえば、特定の地理的エリア中のユーザ、１つまたは複数の共通の興味をもつユーザ、あるいは特定の購買層のユーザであり得る。ブロック１３２０において、複数のユーザについての集積消費が判断される。そのような集積消費情報は、ほんのいくつかの例を挙げれば、市場調査、公衆衛生、サプライチェーン管理などのいくつかのアプリケーションのいずれかのために使用され得る。一例では、随意のブロック１３２５に従って、サプライチェーン流通情報が生成される。そのようなサプライチェーン流通情報は、同様に上記で説明したように、複数のユーザについての集積消費に基づいて、特定の地理的エリア中の需要、または特定のユーザのグループのための需要が、近い将来に増加または減少する可能性が高いという指示を含み得る。
【００４２】
[0058]次に図１４を参照しながら、健康アドバイスを与えるための方法１４００について説明する。方法１４００は、たとえば、図１〜図８の中央サーバコンピュータシステム、健康情報データベース、またはユーザシステムによって、あるいはこれらの図に関して説明したデバイスの任意の組合せを使用して実行され得る。初めに、ブロック１４０５において、１つまたは複数の消費品目についての識別および量データが受信される。ブロック１４１０に従って、受信されたデータに基づいて１つまたは複数の消費品目についての健康関係消費メトリックが判断される。そのような健康関係消費メトリックは、たとえば、バランスのとれた食事に関係する情報、様々な物質の摂取に関係する情報、様々な品目の消費の時間に関係する情報、および／または存在する処方された薬品の量に関係する情報を含み得る。ブロック１４１５において、消費メトリックに基づいて健康アドバイスが生成される。そのような健康アドバイスは、たとえば、バランスのとれた食事を促進するか、または物質の摂取量を調整し得るレシピ（たとえば、全粒摂取量（whole grain intake）がターゲットしきい値を下回ったとき全粒（whole grains）を増やす）を含み得る。健康アドバイスはまた、品目または物質の摂取量がしきい値レベルを上回るかまたは下回る（たとえば、ナトリウム摂取量があまりに多い、薬品が適切に服用されていないなど）という警報または通知を含み得る。最後に、ブロック１４２０において、健康アドバイスが１人または複数のユーザに提供される。そのような健康アドバイスは、たとえば、システムのユーザ、ヘルスケア専門家、および／またはユーザの家族に提供され得る。いくつかの他の例では、健康関係消費メトリックは、ディスカウントされた医療保険プレミアム（discounted medical insurance premiums）またはディスカウントされた医療サービスの資格をユーザに与えるために使用され得る。
【００４３】
[0059]次に図１５を参照しながら、健康アドバイスを与えるための代替方法１５００について説明する。方法１５００は、たとえば、図１〜図８の中央サーバコンピュータシステム、健康情報データベース、またはユーザシステムによって、あるいはこれらの図に関して説明したデバイスの任意の組合せを使用して実行され得る。初めに、ブロック１５０５において、１つまたは複数の消費品目についての識別および量データが受信される。ブロック１５１０において、受信されたデータに基づいて１つまたは複数の消費品目についての消費メトリックが判断される。ブロック１５１５において、消費品目についての消費メトリックとターゲット消費メトリックとの間の差が判断される。たとえば、消費メトリックは、システムのユーザが設定された時間期間にわたって消費した食品のナトリウム含有量に基づくユーザのためのナトリウム摂取量であり得る。ユーザのためのターゲットナトリウム消費メトリックは、たとえば、ユーザの年齢および体重に基づいて確立され、消費されたナトリウムの実際の量とターゲットナトリウム消費メトリックとに基づいてその差が判断され得る。ターゲット消費メトリックはまた、たとえば、深夜の間食を低減するのに役立つように、ある時刻の後に一定数のカロリーよりも少なく消費すべきターゲットなど、品目の消費の時間に基づき得る。ブロック１５２０において、消費メトリックとターゲット消費メトリックとの間の差に基づいて健康アドバイスが生成される。ブロック１５２５において、健康アドバイスが１人または複数のユーザに与えられる。同様に上記で説明したように、健康アドバイスは、たとえば、バランスのとれた食事を促進するかまたは物質の摂取量を調整し得るレシピ（たとえば、ナトリウム摂取量がターゲットしきい値を上回ったときナトリウムを減らす）、または栄養サプリメントをとるアドバイスを含み得る。健康アドバイスはまた、消費メトリックとターゲット消費メトリックとの間の差を補償する１つまたは複数のレシピを含み得る。いくつかの実施形態では、健康アドバイスは、家族またはヘルスケアプロバイダなど、システムのユーザ以外の第三者に提供され得る。
【００４４】
[0060]また他の例は、ユーザシステム中に存在し得る消費品目の効率的な使用を提供する。図１６を参照しながら説明する１つのそのような例は、品目の有用寿命の終わりにあるか、またはそれに近づいていることがある品目を使用するためのレシピを生成するための方法１６００を与える。方法１６００は、たとえば、図１〜図８の中央サーバコンピュータシステムまたはユーザシステムによって、あるいはこれらの図に関して説明したデバイスの任意の組合せを使用して実行され得る。初めに、ブロック１６０５において、複数のリモート重量感知デバイスから、１つまたは複数の消費品目についての識別および量データが受信される。ブロック１６１０において、消費品目のうちの１つまたは複数についての鮮度期限（freshness expiration）が判断される。そのような場合、消費品目は、知られている鮮度期間を有し得、システムは、品目がシステムに入れられた日付を、そのような日付と知られている鮮度期間とに基づく鮮度期限とともに記録し得る。他の例では、消費品目の識別情報は、鮮度情報と品目が消費または廃棄されるべき日付とを含み得る。たとえば、食品のコンテナ上のＲＦＩＤタグは、食品の識別情報および賞味期限とともにプログラムされ得る。ブロック１６１５において、消費品目のうちの１つまたは複数と鮮度期限とに基づいてレシピが生成される。そのような方法で、腐敗する（spoiling）危険があり得る製品を識別することと、品目を消費する好都合な方法を与えることとによって、廃棄物（waste）は低減され得る。レシピはまた、ユーザシステム中に存在しない、必要とされる追加の品目のリストを含み、したがって、レシピのために必要とされる追加の品目を取得するために好都合な買い物リストをユーザに提供し得る。いくつかの例では、ユーザに様々なオプションを与えるためにいくつかの異なるレシピが提供され、それらのうちの１つまたは複数は、ユーザの現在の要望または気分に基づいて選択され得る。他の例では、ユーザは、望まれる食事の所望のタイプ（たとえば、イタリアの食事）を入力し、その入力とユーザのシステム中に存在する消費品目とに基づいてレシピが生成され得る。
【００４５】
[0061]次に図１７を参照しながら、品目が残り少なくなっているという通知をユーザに提供するための方法１７００について説明する。方法１７００は、たとえば、図１〜図８の中央サーバコンピュータシステムまたはユーザシステムによって、あるいはこれらの図に関して説明したデバイスの任意の組合せを使用して実行され得る。初めに、ブロック１７０５において、１つまたは複数の消費品目についての識別および量データが受信される。ブロック１７１０に従って、経時的な量の差と（１つまたは複数の）消費品目に関連するしきい値レベルとに基づいて（１つまたは複数の）品目についての消費メトリックが判断される。ブロック１７１５において示すように、１つまたは複数の消費品目が消費メトリックに基づいてあらかじめ設定された時間期間内に枯渇すると予測されることを示す、ユーザへの補充通知が生成される。したがって、ユーザは、品目がほとんどないことを通知され得る。いくつかの例では、品目がなくならないことを保証するのを助けるために、ユーザは、そのような通知を生成するためのしきい値を設定し得る。他の例では、ユーザは、品目なしにいられる許容度（tolerance）に基づいてしきい値を設定し得る。たとえば、ユーザがミルクなしにいられる許容度が低い場合、ミルクを使い果たす前に補充通知を生成するために、しきい値は比較的控えめに（conservatively）設定され得る。もちろん、当業者には容易に明らかであるように、ユーザプリファレンス（user preferences）と許容度とに従って、様々な他のしきい値が設定され得る。いくつかの例では、システムは、ユーザの履歴に基づいてしきい値を適応的に設定し得る。たとえば、システムは、ミルクがユーザによっていつ補充されるかを監視し、履歴データに基づいて、しきい値とミルクなしにいられるユーザの許容度とを判断し得る。この例では、ユーザは、ミルクがないことが非常にまれであり、履歴的に既存のミルクの２０％が残っているときにミルクを補充する場合、しきい値は、ミルクのレベルが２０％に近づいたときに補充通知を生成するように設定され得る。補充通知はまた、たとえば、製品が賞味期限に近づいているとき、および／または製造業者が品目についてのリコールを発行したとき提供され得る。
【００４６】
[0062]添付の図面に関して上記に記載した詳細な説明は、例示的な実装形態について説明しており、実装され得るまたは特許請求の範囲内に入る実装形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。場合によっては、説明する概念を不明瞭にしないように、よく知られている構造およびデバイスをブロック図の形式で示す。
【００４７】
[0063]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００４８】
[0064]本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００４９】
[0065]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング（hardwiring）、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【００５０】
[0066]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、 レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【００５１】
[0067]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についてのプリファレンスを暗示せず、または必要としない。したがって、本開示は、本明細書で説明する例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
コンピュータシステムにおいて、前記コンピュータシステムから遠く離れた複数の重量感知デバイスから、１つまたは複数の消費品目についての識別および量データを受信することと、
前記受信されたデータに基づいて前記１つまたは複数の消費品目についての消費メトリックを判断することと、
前記消費メトリックに基づいて消費関係情報を生成することとを備える方法。
［Ｃ２］
前記複数の重量感知デバイスが複数の異なるユーザに関連し、
消費メトリックを判断することが、前記複数の異なるユーザからの前記受信された情報に基づいて前記１つまたは複数の消費品目についての集積消費メトリックを判断することを備える、Ｃ１に記載の方法。
［Ｃ３］
消費関係情報を生成することが、前記複数のユーザのための前記１つまたは複数の消費品目の補充に対する十分な供給を与える際に使用するサプライチェーン流通情報を生成することを備える、Ｃ２に記載の方法。
［Ｃ４］
前記複数のユーザが、定義された地理的エリアと、定義された購買層と、定義された利益団体と、定義されたソーシャルネットワークとのうちの１つまたは複数内のユーザを備える、Ｃ２に記載の方法。
［Ｃ５］
前記消費関係情報が、前記１つまたは複数の消費品目についての前記消費メトリックに基づく１つまたは複数のレシピを備える、Ｃ１に記載の方法。
［Ｃ６］
前記消費関係情報が第１の重量感知面の第１のユーザのための健康アドバイスを備える、Ｃ１に記載の方法。
［Ｃ７］
前記健康アドバイスは、１つまたは複数の消費品目の消費がターゲットしきい値から所定の差を超えることを示す、前記第１のユーザへの警告を備える、Ｃ６に記載の方法。
［Ｃ８］
消費関係情報を生成することが、第１の重量感知面に関連する第１のユーザによって消費される１つまたは複数の消費品目についての、前記第１のユーザのためのクーポンを生成することを備える、Ｃ１に記載の方法。
［Ｃ９］
消費関係情報を生成することが、第１の重量感知面に関連する第１のユーザによって消費される１つまたは複数の消費品目についての前記消費メトリックに基づいて、前記第１のユーザに方向づけられた広告を提供することを備える、Ｃ１に記載の方法。
［Ｃ１０］
識別および量データを前記受信することが、識別および量データを周期的に受信することを備え、
消費メトリックを前記判断することが経時的な量データの差に基づく、Ｃ１に記載の方法。
［Ｃ１１］
識別および量データを前記受信することが、第１の消費品目についての識別および量データを周期的に受信することを備え、
消費メトリックを前記判断することが前記第１の消費品目の枯渇率に基づく、Ｃ１に記載の方法。
［Ｃ１２］
消費メトリックを判断することが、前記第１の消費品目の複数の補充にわたる前記第１の消費品目の平均枯渇率に基づく、Ｃ１１に記載の方法。
［Ｃ１３］
前記消費メトリックに基づいて消費関係情報を生成することは、
１つまたは複数の消費品目が枯渇したかまたは枯渇に近づいていることを示す、ユーザへの補充通知を生成することを備える、Ｃ１に記載の方法。
［Ｃ１４］
補充通知を生成することは、
１つまたは複数の消費品目についての量データが前記消費品目に関連する量しきい値を下回ると判断することと、
前記補充通知を生成することとを備える、Ｃ１３に記載の方法。
［Ｃ１５］
前記消費メトリックが消費品目についての消費率を備え、
補充通知を生成することは、
前記消費率に基づいて、前記消費品目が、あらかじめ設定された時間期間内に枯渇することが予想されると判断することと、
前記補充通知を生成することとを備える、Ｃ１３に記載の方法。
［Ｃ１６］
前記消費品目についての前記あらかじめ設定された時間期間がユーザによって選択可能である、Ｃ１５に記載の方法。
［Ｃ１７］
複数のリモート重量感知面から１つまたは複数の消費品目についての識別および量データを受信し、前記１つまたは複数の消費品目についての消費メトリックを判断するコレクタモジュールと、
前記消費メトリックに基づいて消費関係情報を生成する消費関係情報生成器モジュールとを備える、装置。
［Ｃ１８］
前記コレクタモジュールが、前記複数のユーザからの前記受信された情報に基づいて前記１つまたは複数の消費品目についての集積消費メトリックを判断する、Ｃ１７に記載の装置。
［Ｃ１９］
前記消費関係情報生成器が、前記集積消費メトリックに基づいて前記複数のユーザのための前記１つまたは複数の消費品目の十分な供給を与える際に使用するサプライチェーン流通情報を提供する、Ｃ１８に記載の装置。
［Ｃ２０］
前記複数のユーザが、定義された地理的エリアと、定義された購買層と、定義された利益団体と、定義されたソーシャルネットワークとのうちの１つまたは複数内のユーザを備える、Ｃ１８に記載の装置。
［Ｃ２１］
前記消費関係情報が、前記１つまたは複数の消費品目についての前記消費メトリックに基づく１つまたは複数のレシピを備える、Ｃ１７に記載の装置。
［Ｃ２２］
前記消費関係情報が第１の重量感知面の第１のユーザのための健康アドバイスを備える、Ｃ１７に記載の装置。
［Ｃ２３］
前記健康アドバイスは、１つまたは複数の消費品目の消費がターゲットしきい値から所定の差を超えることを示す警告を備える、Ｃ２２に記載の装置。
［Ｃ２４］
前記消費関係情報が、第１の重量感知面に関連する第１のユーザによって消費される１つまたは複数の消費品目についての、前記第１のユーザのためのクーポンを備える、Ｃ１７に記載の装置。
［Ｃ２５］
前記消費関係情報が、第１の重量感知面に関連する第１のユーザによって消費される１つまたは複数の消費品目についての前記消費メトリックに基づいて、前記第１のユーザへの方向づけられた広告を備える、Ｃ１７に記載の装置。
［Ｃ２６］
前記コレクタモジュールが、前記１つまたは複数の消費品目についての識別および量データの定期的更新を受信し、前記１つまたは複数の消費品目の枯渇率に基づいて前記消費メトリックを判断する、Ｃ１７に記載の装置。
［Ｃ２７］
前記消費メトリックが、前記１つまたは複数の消費品目の複数の補充にわたる１つまたは複数の第１の消費品目の平均枯渇率に基づいて判断される、Ｃ２６に記載の装置。
［Ｃ２８］
前記消費関係情報生成器は、１つまたは複数の消費品目が枯渇したかまたは枯渇に近づいていることを示す補充通知を、重量感知面のユーザに与える、Ｃ１７に記載の装置。
［Ｃ２９］
前記消費メトリックが消費品目についての消費率を備え、
前記消費関係情報生成器は、前記消費率に基づいて、前記消費品目があらかじめ設定された時間期間内に枯渇することが予想されると判断し、前記補充通知を生成する、Ｃ２８に記載の装置。
［Ｃ３０］
受信するための手段から遠く離れた複数の重量感知手段から、１つまたは複数の消費品目についての識別および量データを受信するための手段と、
前記受信されたデータに基づいて前記１つまたは複数の消費品目についての消費メトリックを判断するための手段と、
前記消費メトリックに基づいて消費関係情報を生成するための手段とを備えるシステム。
［Ｃ３１］
前記複数の重量感知手段が複数の異なるユーザに関連し、
消費メトリックを判断するための前記手段が、前記複数の異なるユーザからの前記受信された情報に基づいて前記１つまたは複数の消費品目についての集積消費メトリックを判断するための手段を備える、Ｃ３０に記載のシステム。
［Ｃ３２］
消費関係情報を生成するための前記手段が、
前記複数のユーザのための前記１つまたは複数の消費品目の補充に対する十分な供給を与える際に使用するサプライチェーン流通情報を生成するための手段を備える、Ｃ３１に記載のシステム。
［Ｃ３３］
前記複数のユーザが、定義された地理的エリアと、定義された購買層と、定義された利益団体と、定義されたソーシャルネットワークとのうちの１つまたは複数内のユーザを備える、Ｃ３１に記載のシステム。
［Ｃ３４］
前記消費関係情報が、前記１つまたは複数の消費品目についての前記消費メトリックに基づく１つまたは複数のレシピを備える、Ｃ３０に記載のシステム。
［Ｃ３５］
前記消費関係情報が第１の重量感知手段の第１のユーザのための健康アドバイスを備える、Ｃ３０に記載のシステム。
［Ｃ３６］
前記健康アドバイスは、１つまたは複数の消費品目の消費がターゲットしきい値から所定の差を超えることを示す、前記第１のユーザへの警告を備える、Ｃ３５に記載のシステム。
［Ｃ３７］
識別および量データを受信するための前記手段が、識別および量データを周期的に受信するための手段を備え、
消費メトリックを判断するための前記手段が、経時的な量データの差に基づいて消費メトリックを判断するための手段を備える、Ｃ３０に記載のシステム。
［Ｃ３８］
コンピュータシステムにおいて、前記コンピュータシステムから遠く離れた複数の重量感知デバイスから、１つまたは複数の消費品目についての識別および量データを受信するためのコードと、
前記受信されたデータに基づいて前記１つまたは複数の消費品目についての消費メトリックを判断するためのコードと、
前記消費メトリックに基づいて消費関係情報を生成するためのコードとを備える非一時的コンピュータ可読媒体を備えるコンピュータプログラム製品。
［Ｃ３９］
前記複数の重量感知デバイスが複数の異なるユーザに関連し、
消費メトリックを判断するための前記コードが、前記複数の異なるユーザからの前記受信された情報に基づいて前記１つまたは複数の消費品目についての集積消費メトリックを判断するためのコードを備える、Ｃ３８に記載のコンピュータプログラム製品。
［Ｃ４０］
消費関係情報を生成するための前記コードが、前記複数のユーザのための前記１つまたは複数の消費品目の補充に対する十分な供給を与える際に使用するサプライチェーン流通情報を生成するためのコードを備える、Ｃ３９に記載のコンピュータプログラム製品。
［Ｃ４１］
前記複数のユーザが、定義された地理的エリアと、定義された購買層と、定義された利益団体と、定義されたソーシャルネットワークとのうちの１つまたは複数内のユーザを備える、Ｃ３９に記載のコンピュータプログラム製品。
［Ｃ４２］
前記消費関係情報が、前記１つまたは複数の消費品目についての前記消費メトリックに基づく１つまたは複数のレシピを備える、Ｃ３８に記載のコンピュータプログラム製品。
［Ｃ４３］
前記消費関係情報が第１の重量感知面の第１のユーザのための健康アドバイスを備える、Ｃ３８に記載のコンピュータプログラム製品。
［Ｃ４４］
前記健康アドバイスは、１つまたは複数の消費品目の消費がターゲットしきい値から所定の差を超えることを示す、前記第１のユーザへの警告を備える、Ｃ４３に記載のコンピュータプログラム製品。
［Ｃ４５］
消費関係情報を生成するための前記コードが、第１の重量感知面に関連する第１のユーザによって消費される１つまたは複数の消費品目についての、前記第１のユーザのためのクーポンを生成するためのコードを備える、Ｃ３８に記載のコンピュータプログラム製品。
［Ｃ４６］
消費関係情報を生成するための前記コードが、第１の重量感知面に関連する第１のユーザによって消費される１つまたは複数の消費品目についての前記消費メトリックに基づいて、前記第１のユーザに方向づけられた広告を提供するためのコードを備える、Ｃ３８に記載のコンピュータプログラム製品。
［Ｃ４７］
識別および量データを受信するための前記コードが、識別および量データを周期的に受信するためのコードを備え、
消費メトリックを判断するための前記コードが、経時的な量データの差に基づいて消費メトリックを判断するためのコードを備える、Ｃ３８に記載のコンピュータプログラム製品。
［Ｃ４８］
識別および量データを受信するための前記コードが、第１の消費品目についての識別および量データを周期的に受信するためのコードを備え、
消費メトリックを判断するための前記コードが、前記第１の消費品目の枯渇率に基づいて消費メトリックを判断するためのコードを備える、Ｃ３８に記載のコンピュータプログラム製品。
【図１】
0006022605.tif 000002
【図２】
0006022605.tif 000003
【図３】
0006022605.tif 000004
【図４】
0006022605.tif 000005
【図５】
0006022605.tif 000006
【図６】
0006022605.tif 000007
【図７】
0006022605.tif 000008
【図８】
0006022605.tif 000009
【図９】
0006022605.tif 000010
【図１０】
0006022605.tif 000011
【図１１】
0006022605.tif 000012
【図１２】
0006022605.tif 000013
【図１３】
0006022605.tif 000014
【図１４】
0006022605.tif 000015
【図１５】
0006022605.tif 000016
【図１６】
0006022605.tif 000017
【図１７】
0006022605.tif 000018